(57)【要約】【課題】            対戦相手との間で相互にボールを打ち合うテニスにあって、効率がよく実戦に近い状態での一人練習用の装置が存在していなかったという点である。【解決手段】        テニス用練習装置はガットを編成張設して形成した反発ネットを屈成もしくは曲成し、位置決めして設置してあることとし、反発ネットの端縁、上縁には保護ネットをはじめとする保護材が設けられていることとし、反発ネットは区割されたフレームごとに張設され、その各フレームを組み合せて構成してあることとし、フレームの連結に弾発材を介在させてあることとし、固定された支柱に下方を屈曲させたフレームを弾発材を介在させて連結固定し、そのフレームの下方に反発力の異なるネットを配してあることとする。【選択図】          図１
2007135667.tif 000002
【特許請求の範囲】
【請求項１】
ガットを編成張設して形成した反発ネットを屈成もしくは曲成し、位置決めして設置してあることを特徴とするテニス用練習装置。
【請求項２】
前記した反発ネットの端縁、上縁には保護ネットをはじめとする保護材が設けられていることを特徴とする請求項１に記載のテニス用練習装置。
【請求項３】
前記した反発ネットは区割されたフレームごとに張設され、その各フレームを組み合せて構成してあることを特徴とする請求項１または請求項２に記載のテニス用練習装置。
【請求項４】
前記したフレームの連結に弾発材を介在させてあることを特徴とする請求項１、請求項２または請求項３に記載のテニス用練習装置。
【請求項５】
固定された支柱に下方を屈曲させたフレームを弾発材を介在させて連結固定し、そのフレームの下方に反発力の異なるネットを配してあることを特徴とする請求項１、請求項２、請求項３または請求項４に記載のテニス用練習装置。
【発明の詳細な説明】
【技術分野】
【０００１】
本発明はテニス用練習装置、特にプレーヤーが単独で実行することを可能としたテニス用練習装置に関する。
【背景技術】
【０００２】
従来、テニス競技は対戦相手が存在し、ボールを打ち合って行なわれるものであり、そのため、通例練習も複数人が居る状態でボールを打ち合うことによりなされることとなるが、時として一人練習の場合はいわゆる壁打ちとなり、種々の平坦に立設された壁や塀に向ってボールを打ち、跳ね返ってくるボールを繰り返して打つような練習方法しか行なわれていない。
【０００３】
また、上記した一人練習での壁打ちは相手が居る場合のラケットによる打ち返しとは反発係数が異なり球速も違ってしまうこととなり、壁や塀は平坦面となっているため正確に直線的に当てられない限り、ボールは角度をもって反発されることとなり、長時間に亘ってラリー状態を続けることは困難なこととなっており、効率のよい練習成果を得ることは難しいものとなっている。
【特許文献１】特表２００３−５１７３５７号公報
【特許文献２】実開平６−４４５６９号公報
【特許文献３】実開平７−２８５７９号公報
【発明の開示】
【発明が解決しようとする課題】
【０００４】
本発明が解決しようとする問題点は対戦相手との間で相互にボールを打ち合うテニスにあって、効率がよく実戦に近い状態での一人練習用の装置が存在していなかったという点である。
【課題を解決するための手段】
【０００５】
上記した問題点を解決するために、本発明に係るテニス用練習装置はガットを編成張設して形成した反発ネットを屈成もしくは曲成し、位置決めして設置してあることを特徴とし、前記した反発ネットの端縁、上縁には保護ネットをはじめとする保護材が設けられていることを特徴としている。
【０００６】
また、本発明に係るテニス用練習装置は前記した反発ネットは区割されたフレームごとに張設され、その各フレームを組み合せて構成してあることを特徴とし、前記したフレームの連結に弾発材を介在させてあることを特徴とし、固定された支柱に下方を屈曲させたフレームを弾発材を介在させて連結固定し、そのフレームの下方に反発力の異なるネットを配してあることを特徴としている。
【発明の効果】
【０００７】
本発明に係るテニス用練習装置は上記のように構成されている。通常のラケットに使用されるガットを用いて張設してあるため、打ったボールの反発性は試合に近くなり、加えて、そのガットを張設したフレームを弾発材を介在もしくは支承するため、ラケットを人が振り打ち返すパワーも実戦に近いものが得られるようになる。
【０００８】
また、ガットを張設するフレームの単体あるいは組み合せ構造を屈成、曲成することで反発ネットに角度、曲面が全体として形成され、その反発ネットに対し打ったボールは散逸することなく、プレーヤーの近くに返球されることが望め、練習後にボールを集める手間も少なくなり、ラリー状態を長時間に亘り続けることも行い易くなる。
【発明を実施するための最良の形態】
【０００９】
図面として示す実施例のように構成することで実現した。
【実施例１】
【００１０】
次に、本発明の好ましい実施の例を図面を参照して説明する。図１は本発明を実施したテニス用練習装置を示す平面図、図２は同じく側面図、図３は同じく単一フレームを示す正面図、図４は同じくフレームの屈成度を示す側面図、図５は同じく他のフレームを示す正面図、図６は同じく他のフレームの例を示す側面図、図７は同じくフレームの支持構造を示す側面図、図８は同じくフレームの屈成を示す平面図、図９は同じくフレームの組み合せを示す正面図、図１０は同じくフレームの支持構造を示す側面図、図１１は同じく支持部材の屈成構造を示す側面図である。
【００１１】
これらの図にあって１は練習用コートを示し、２はシングル用サイドライン、３はダブルス用サイドラインを示している。このコート１の奥方にはガットを編成張設した反発ネット４が設けられたフレーム５が複数ジョイント５ａ、５ａ‥により連結組み合わされて設置されている。
【００１２】
前記したフレーム５は平坦でもよいが、多少下方を鈍角に屈成し、その組み合せ全体構造として両翼を内方に屈成あるいは弧面状に曲成されている。この屈成、曲成によってプレーヤーが打ったボールは散逸することなく、プレーヤーの位置する場所に集中的に反発され、返球されてくることとなる。
【００１３】
また、前記したフレーム５は、支持部材６の上端前面に連結部材６ａを介して止着され、その支持部材６はコート１の奥方に立設あるいは支承プレート７に立設され配置されており、この支承プレート７はアンカーボルト７ａ、７ａ等によりコート１に固定される。さらに、前記したフレーム５の下方にはボールの散逸を防止するネット８が設けられている。
【００１４】
さらに、前記した反発ネット４を張設したフレーム５の後方、側方及び上方には風雨よけのカバー体９が設けられており、このカバー体９も支承プレート７にその下端を固定され、全体としてコ字状をしており、上方を防護する庇部９ａも形成されたものとされている。
【００１５】
また、フレーム５の屈成構造としては、その屈成部分を短くした５ｂやストレートでフラットとした５ｃ（図４参照）のように目的に応じて任意に設け変更をすることが可能である。
【００１６】
そして、支持部材６はその下端を直接的に支承プレート７に立設させるのみでなく、支承プレート７の表面にウェイトを兼ねた断面放射状の受部１０を設け、その受部１０の頂面に下端を挿入し、ビス１１、１１を用いて固定する構成等とすることもできる。この場合、支持部材６の上端も連結部材６ａに挿入し、ビス１１、１１で固定する構造とすることもできる。
【００１７】
さらに、フレーム５と連結部材６ａとの位置関係として、連結部材６ａの下端部分をやや鈍角とされた屈成部まで位置させると、そこに生じるスペースＳにより、フレーム５、強いては反発ネット４の反発力に反動をつけ易くなり、より強い打球を返すことができるようになる。
【００１８】
また、フレーム５、５の組み合せで全体としての左右を内方に屈成したり、全体を曲成するに際してはその各フレーム５、５の当接部分は多少の隙間をあけ、前縁のみを当接させても、フレーム５、５の側縁面をテーパとして密に当接させることも可能となる。
【００１９】
そして、ガットを編成張設して形成される反発ネット４には、前記したガットに加え、プラスチック製紐（糸）やその他金属線等の別素材による網１２を混在させてやることもできる。
【００２０】
さらには、図１０に示すように前記した支持部材６として弾発性を有する板バネを重合した構造のものを用いると、スペースＳの存在に加えて、この支持部材６自体も反発ネット４が打球を受けた際に、その衝撃で撓み、復元するため、より一層の反発力が増強され、より強い実戦に則した返球が望めることとなる。
【００２１】
この支持部材６自体による弾発力を増強して、反発力を増すための構造としては図１１として示すように、支持部材６を鋼等の金属プレート状として少なくとも一以上の鈍角な屈曲部６ｂ、６ｂ‥を形成、それも異方向へ形成することで達成することができることとなる。
【産業上の利用可能性】
【００２２】
本発明に係るテニス用練習装置は上述のように構成されている。そのため、屋外、屋内を問わず設置することができ、必要に応じてペアを組んでダブルスの練習も行なうことが可能である。また、反発ネット４は本実施例ではフレーム５に張設し、そのフレーム５を地上、床上に固定する構成としてあるが、必要に応じて上方から吊持したり、サイドから引張して設置することも可能で、そのサイズも自在に設定でき、フレーム数を少なくすれば比較的狭いスペースでの設置も可能となる。
【図面の簡単な説明】
【００２３】
【図１】本発明を実施したテニス用練習装置を示す平面図である。
【図２】側面図である。
【図３】単一フレームを示す正面図である。
【図４】フレームの屈成度を示す側面図である。
【図５】他のフレームを示す正面図である。
【図６】他のフレームの例を示す側面図である。
【図７】フレームの支持構造を示す側面図である。
【図８】フレームの屈成を示す平面図である。
【図９】フレームの組み合せを示す正面図である。
【図１０】フレームの支持構造を示す側面図である。
【図１１】支持部材の屈成構造を示す側面図である。
【符号の説明】
【００２４】
１      コート
２      シングル用サイドライン
３      ダブルス用サイドライン
４      反発ネット
５      フレーム
５ａ    ジョイント
５ｂ    フレーム
５ｃ    フレーム
６      支持部材
６ａ    連結部材
７      支承プレート
７ａ    アンカーボルト
８      ネット
９      カバー体
９ａ    庇部
１０    受部
１１    ビス
１２    網
Ｓ      スペース
【図１】
2007135667.tif 000003
【図２】
2007135667.tif 000004
【図３】
2007135667.tif 000005
【図４】
2007135667.tif 000006
【図５】
2007135667.tif 000007
【図６】
2007135667.tif 000008
【図７】
2007135667.tif 000009
【図８】
2007135667.tif 000010
【図９】
2007135667.tif 000011
【図１０】
2007135667.tif 000012
【図１１】
2007135667.tif 000013